(57)【要約】【課題】  多くの回数分の薬をコンパクトに収納可能で、薬を容易かつ確実に収納したり取り出したりすることができる薬ケースを提供する。【解決手段】  本考案の薬ケース１０は、上部に開口部１３ａを備えた薬収容部１３が前後方向に複数配列されてなる本体部１１と、前記本体部１１に配列された複数の前記開口部１３ａを上方から覆うための、後方から折り曲げ可能に構成された蓋部１２と、を具備し、前後方向に相互に隣接する前記薬収容部１３間では、後方の前記薬収容部の開口縁１３ｘの位置が前方の前記薬収容部の開口縁位置より上方へずれていることを特徴とする。【選択図】図１
0003112759.tif 000002
【実用新案登録請求の範囲】
【請求項１】
上部に開口部を備えた複数の薬収容部が前後方向に配列されてなる本体部と、
前記本体部の後部に接続されて後方から折り曲げ可能に構成され、前記本体部に配列された複数の前記開口部を上方から覆う蓋部と、を具備し、
前後方向に相互に隣接する前記薬収容部間では、後方の前記薬収容部の開口縁位置が前方の前記薬収容部の開口縁位置より上方へずれていることを特徴とする薬ケース。
【請求項２】
前記蓋部は、前後方向に配列された前記薬収容部の開口縁位置の上下のずれに対応した傾斜姿勢で前記本体部の上部を覆うように構成されていることを特徴とする請求項１に記載の薬ケース。
【請求項３】
前後方向に配列された複数の前記薬収容部の深さが相互に同一であることを特徴とする請求項１又は２に記載の薬ケース。
【請求項４】
前記開口縁に前記薬収容部の識別情報が前方から視認可能に表示されていることを特徴とする請求項１乃至３のいずれか一項に記載の薬ケース。
【請求項５】
前記薬収容部は、少なくとも前後及び左右に仕切壁を介在させることにより画成され、前記左右の仕切壁に前後方向の幅が設けられることにより所定の収容厚が確保されるとともに前記左右の仕切壁が前後方向に折り畳み可能に構成されていることを特徴とする請求項１乃至４のいずれか一項に記載の薬ケース。
【請求項６】
前記左右の仕切壁は、前記開口部が設けられた上部における前後方向の幅が底部における同幅より大きく構成されていることを特徴とする請求項５に記載の薬ケース。
【請求項７】
少なくとも前記前後の仕切壁に透明部分が設けられていることを特徴とする請求項１乃至６のいずれか一項に記載の薬ケース。
【考案の詳細な説明】
【技術分野】
【０００１】
本考案は薬ケースに係り、特に、携帯する場合に好適な薬ケースの構造に関する。
【背景技術】
【０００２】
一般に、病院等で処方された薬を持ち運びする場合には、そのままバッグ、財布等に薬を入れるか、市販のピルケースに薬を収納するようにしている。ピルケースとしては、複数の薬収容部を備え、薬を仕分けして収納することができるものも市販されている。
【０００３】
また、従来の携帯用の薬ケースの構造としては、上部が開口した複数の薬収容部を備えるとともに、薬収容部の開口部を上方から覆う蓋を有するものが知られている（例えば、以下の特許文献１及び２参照）。
【特許文献１】実開昭６２−１８１４２号全文明細書
【特許文献２】実開平３−１２６１３５号全文明細書
【考案の開示】
【考案が解決しようとする課題】
【０００４】
前述の薬ケースは、薬を投薬時期毎に仕分けして収容し、容易に携帯することができる点で優れたものであるが、通常、病院等で処方される薬は一週間乃至二週間分であり、例えば、朝、昼、晩の３回の薬を一週間分携帯するとなると、前後方向に複数の収納袋を重ねる必要があり、複数の収納袋の開口部も相互に重なった状態になるため、薬の収納作業や取り出し作業が困難になるとともに、誤って異なる日の薬を収納部に収納してしまったり、異なる日の収納部から薬を取り出してしまったりするといったことが考えられる。
【０００５】
そこで、本考案は上記問題点を解決するものであり、多くの回数分の薬をコンパクトに収納可能で、薬を容易かつ確実に収納したり取り出したりすることができる薬ケースを提供することにある。
【課題を解決するための手段】
【０００６】
斯かる実情に鑑み、本考案の薬ケースは、上部に開口部を備えた複数の薬収容部が前後方向に配列されてなる本体部と、前記本体部の後部に接続されて後方から折り曲げ可能に構成され、前記本体部に配列された複数の前記開口部を上方から覆う蓋部と、を具備し、前後方向に相互に隣接する前記薬収容部間では、後方の前記薬収容部の開口縁位置が前方の前記薬収容部の開口縁位置より上方へずれていることを特徴とする。
【０００７】
この考案によれば、前後方向に配列される複数の薬収容部間においては、後方に向かうほど開口縁位置が上方にずれた構造となっているため、薬収容部の開口部を広げやすいとともに、薬や薬包の収納時や取り出し時において前方の薬収容部の開口部と後方の薬収容部の開口部を間違えにくくなることから、容易かつ確実に収納作業や取り出し作業を行なうことが可能になる。
【０００８】
本考案において、前記蓋部は、前後方向に配列された前記薬収容部の開口縁位置の上下のずれに対応した傾斜姿勢で前記本体部の上部を覆うように構成されていることが好ましい。これによれば、各薬収容部に薬を収納し、蓋部を閉鎖状態としたときには、蓋部が開口縁位置の上下のずれに対応した傾斜姿勢で本体部の上部（開口部が配列されている部分）を覆うように構成されていることにより、前後方向に配列された複数の薬収容部の開口部から蓋部までの距離のばらつきを低減できるため、収納されていた薬が薬収容部の開口部から脱出してしまうことが防止される。
【０００９】
本考案において、前後方向に配列された複数の前記薬収容部の深さが相互に同一であることが好ましい。これによれば、前後に配列された薬収容部が薬或いは薬包に対する同じ収納深さを有していることとなるため、薬の収納や取り出しを更に容易に行うことが可能になる。
【００１０】
本考案において、前記開口縁に前記薬収容部の識別情報が前方から視認可能に表示されていることが好ましい。これによれば、開口縁位置のずれによって前方の薬収容部に妨げられずに視認可能な開口縁に薬収容部の識別情報が表示されていることにより、識別情報の前方からの視認性を容易に確保できる。
【００１１】
本考案において、前記薬収容部は、少なくとも前後及び左右に仕切壁を介在させることにより画成され、前記左右の仕切壁に前後方向の幅が設けられることにより所定の収容厚が確保されるとともに前記左右の仕切壁が前後方向に折り畳み可能に構成されていることが好ましい。これによれば、前後方向の幅を有する左右の仕切壁を設けることにより薬収容部に所定の収容厚が確保されるため、薬の収納状態に無理がなくなり、薬や薬包のサイズに関する適用範囲が広がるとともに、収納作業や取り出し作業も更に容易に行うことが可能になる。また、薬収容部が前後方向に折り畳み可能に構成されていることにより、ケースをコンパクトに構成でき、しかも、薬や薬包を前後方向に圧迫して保持することが可能になる。
【００１２】
この場合に、前記左右の仕切壁は、前記開口部が設けられた上部における前後方向の幅が底部における同幅より大きく構成されていることが望ましい。これによれば、左右の仕切壁の幅が上部において大きく構成されていることにより、薬収容部を開口部側に開くことのできる構造となるので、薬の収納作業や取り出し作業がさらに容易になる。
【００１３】
本考案において、少なくとも前記前後の仕切壁に透明部分が設けられていることが好ましい。これによれば、薬収容部に薬や薬包が収納されているか否かを、透明部分を通して視認可能に構成できる。特に、前後の薬収容部の透明部分が相互に重なっている場合には、後方の薬収容部の収納状態も容易に確認できる。
【００１４】
本考案において、少なくとも前記前後の仕切壁が透明材料で構成されていることが好ましい。これによれば、薬収納部に薬や薬包が収納されているか否かを視認可能に構成できる。特に、前後方向に重なった薬収容部のうち後方に配置された薬収容部の収納状態も視認可能に構成できる。
【考案を実施するための最良の形態】
【００１５】
以下、本考案の実施の形態を図示例と共に説明する。図１は本考案に係る薬ケース１０の全体を示す概略斜視図、図２は概略側面図である。
【００１６】
薬ケース１０は、複数の薬収容部１２を含む本体部１１と、この本体部１１の上部を覆うように形成された蓋部１２とを備えている。本体部１１は、前面部１１ａ、背面部１１ｂ及び底面部１１ｄを備えた人工皮革やプラスチックなどで構成された外壁を有している。この外壁は、一体の素材を折り曲げることにより前面部１１ａ、背面部１１ｂ及び底面部１１ｄが構成されてなるものが好ましい。この外壁の内部には上記の薬収容部１３が上方に開口した開口部１３ａを有する態様で前後左右に配列されている。具体的には、薬収容部１３は左右方向に複数配列されるとともに、この列が前後方向に複数配列されている。図示例の場合、左右方向に三つの薬収容部１３が配列され、前後方向に七つの薬収容部１３が配列されている。ただし、左右方向には複数の薬収容部が配列されず、一つの薬収容部が前後方向にのみ一列に配列されていてもよい。
【００１７】
薬収容部１３は、樹脂フィルムや不織布などで構成された仕切壁１３ｂ，１３ｃ，１３ｄで画成されている。ただし、底部の仕切壁１３ｄは、本体部１１の底面部１１ｄによって代用できる場合（薬収容部１３の底部が底面部１１ｄに近く構成されている場合）には不要である。前後の仕切壁１３ｂは前後に隣接する薬収容部１３間を仕切り、左右の仕切壁１３ｃは、薬収容部１３の左右の側壁を構成し、左右に複数の薬収容部１３が配列される場合には左右に隣接する薬収容部１３間を仕切るように構成されている。
【００１８】
仕切壁１３ｂは透明な素材、例えば、透明な樹脂フィルム等で構成されることが好ましい。ただし、仕切壁１３ｂの一部にのみ透明部分が設けられていてもよい。一方、左右の仕切壁１３ｃは透明な素材で構成されていてもよいが、白色樹脂フィルムなどの不透明な素材で構成されていてもよい。仕切壁１３ｂの少なくとも一部が透明に構成されていることにより、この透明部分を通して最前列の薬収容部１３の内部に薬や薬包１が収容されているか否かを知ることができる。また、この透明部分が前後方向に重なった位置に形成されていれば、次列以降の薬収容部１３の内部に薬や薬包１が収容されているか否かを知ることも可能である。
【００１９】
通常、前後左右に配列された複数の薬収容部１３に薬や薬包１を収容した場合、最前列から順に薬や薬包１を取り出して服用するので、透明部分が前後に重なっていれば、前列の薬収容部１３は空になるため、次列以降の薬収容部１３内に薬や薬包１が収納されているか否かを知ることができる。本実施形態の場合、一目でどこまで服用したかを即座に知ることができるようになっているので、服用忘れを直ちに確認できる。
【００２０】
仕切壁１３ｂは、前方にある薬収容部１３の開口部１３ａよりも一段と高く設定されており、後方の仕切壁１３ｂは必ず前方の仕切壁１３ｂよりも開口縁１３ｘの位置が高くなるように構成されている。すなわち、仕切壁１３ｂの開口縁１３ｘ或いは薬収容部１３の開口部１３ａは、前方から後方へ向けて徐々に高くなるように構成されている。これによって、薬収容部１３に開口部１３ａを通して薬や薬包１を収納したり、薬収容部１３から開口部１３ａを通して薬や薬包１を取り出したりすることが容易になる。すなわち、開口部１３ａの高さが後方に向けて徐々に高くなることにより、前方の薬収容部１３やその内部に収容されている薬や薬包１に妨害されずに薬の収納作業や取り出し作業を行なうことができる。例えば、指先等を本体部１１の上部において後方に向けて滑らせると、その指先等は前後方向に配列された複数の薬収容部１３の開口縁１３ｘのいずれにも必ず当たるので、指先で任意の前後位置にある薬収容部１３の開口部１３ａを容易に開くことができる。
【００２１】
特に、本実施形態では、前後方向に配列された全ての薬収容部１３が同一の上下方向の長さを有し、薬収容部１３の底部（仕切壁１３ｄ）もまた、後方に向けて徐々に高くなるように構成されている。これによって、全ての薬収容部１３が同じ収容深さを有することとなるので、薬や薬包１が同一サイズであれば、それらの各薬収容部１３への収納状態を同様に構成することができる。
【００２２】
本体部１１の前面部１１ａには前後方向に配列された複数の薬収容部１３の列の識別情報を表示する識別子１４ｘが表示されている。この識別子１４ｘは、例えば、朝、昼、晩などのように一日の服薬時期を示すものである。一日に４回服用する場合には、左右方向に４つの薬収容部を配列させ、例えば、朝、昼、晩、就寝前のように表示してもよい。また、前面部１１ａには蓋部１２の後述する係止部１２ｃと係合する被係止部１１ｃが設けられている。ただし、被係止部１１ｃは、蓋部１２を長く構成することにより、底面部１１ｄや背面部１１ｂに設けられていてもよい。
【００２３】
一方、前後の薬収容部１３間を仕切る仕切壁１３ｂの開口縁１３ｘには、薬収容部１３の識別情報を表示する識別子１４ｙが表示されている。この識別子１４ｙは、各薬収容部１３の識別情報を示すもので、例えば、月、火、水、木、金、土、日などの、日付や曜日を示すものである。この場合、仕切壁１３ｂの開口縁１３ｘは、開口縁位置が後方に向かうに従って徐々に高くなるので、図示のように識別子１４ｙが段差となっている開口縁１３ｘの露出部分に形成されていれば、前方の仕切壁１３ｂや薬収容部１３内に収容された薬や薬包１に邪魔されずに識別子１４ｙを視認することができる。なお、識別子１４ｘと１４ｙの関係を逆転させて用いることができるように前後方向の薬収容部の配列数と左右方向の薬収容部の配列数とを変更しても構わない。
【００２４】
仕切壁１３ｃは前後方向に所定の幅を有するもので、これによって薬収容部１３に所定の収容厚が確保されている。また、仕切壁１３ｃは前後方向の中央部に折り目１３ｙを備え、前後方向に折り畳み自在に構成されている。ここで、仕切壁１３ｃは、図４に示すように、上部（開口部１３ａ側）における前後方向の幅が底部における前後方向の幅よりも大きく構成されていることが好ましい。これによって開口部１３ａを大きく開けることができるので、薬収容部１３に対する薬や薬包１の収納作業や取り出し作業を容易に行うことができる。なお、折り目１３ｙを有する構造や一つの折り目１３ｙを有する構造に限られず、各薬収容部１３を前後方向に折り畳み可能な構造であれば、適宜の構造を採用することができる。
【００２５】
なお、底部における仕切壁１３ｃの前後方向の幅は実質的に０であってもよいが、本実施形態の場合、底部においても仕切壁１３ｃの前後方向の幅が存在するので、薬収容部１３の収容厚を充分に確保することができ、薬や薬包１のサイズに関する対応性を高めることができる。
【００２６】
また、本実施形態においては、底の仕切壁１３ｄにも仕切壁１３ｃと同様の折り目が設けられ、前後方向に折り畳み自在に構成されている。
【００２７】
蓋部１２は、本体部１１の背面部１１ｂの上端に接続され、或いは、屈折可能に一体化された被覆部１２ａと、被覆部１２ａの先端に接続され、或いは、屈折可能に一体化された重合部１２ｂとを有し、重合部１２ｂの内面には上記被係止部１１ｃと係合する係止部１２ｃが設けられている。係止部１２ｃと被係止部１１ｃは適宜の係合構造を有するものであればよく、例えば、スナップ的に嵌合する嵌合構造、フック構造、面ファスナーなどで構成できる。
【００２８】
図３は、蓋部１２を閉鎖した状態を示す側面図である。蓋部１２の係止部１２ｃと、本体部１１の被係止部１１ｃとを係合させた状態では、被覆部１２ａは本体部１１の上方において薬収容部１３の開口部１３ａを覆うように配置される。そして、被覆部１２ａによって薬収容部１３に収納された薬や薬包１が脱出しないように構成される。このとき、被覆部１２ａは、薬収容部１３の開口縁位置が後方に向けて徐々に高くなるのと対応して、後方に向けて徐々に高くなるように傾斜姿勢となっている。したがって、前後方向に配列された各薬収容部１３の開口部１３ａと被覆部１２ａの上下方向の距離のばらつきを縮小させることができるので、蓋部１２による閉鎖状態において薬や薬包１が薬収容部１３から脱出する虞を低減することができる。
【００２９】
なお、蓋部１２を閉鎖した状態で、本体部１１が前後方向に多少圧縮された状態となるように構成する（図２と図３を対比されたい。）ことで、各薬収容部１３を前後方向に圧迫された状態にすることができるため、薬ケース１０をコンパクト（薄型）化して携帯できるとともに、内部に収容された薬や薬包１が薬収容部１３からさらに脱出しにくくなるように構成できる。
【００３０】
図５は、識別子１４ｙの仕切壁１３ｂに対する表示方法の一例を示すものである。識別子１４ｘ、１４ｙはいずれも前面部１１ａや仕切壁１３ｂに印刷などの方法で適宜に形成してもよいが、図５に示す例では、識別子１５ｘを備えた識別片１５を仕切壁１３ｂの開口縁１３ｘに折り曲げた状態で固定している。この場合、識別片１５は裏面に粘着層を備えていることが好ましい。また、識別片１５を折り曲げ自在の塑性変形材（例えばアルミ箔など）で構成すると、識別片１５を折り曲げて開口縁１３ｘを挟持した状態とすることで識別片１５が開口縁１３ｘに保持された状態とすることができるため、識別片１５を開口縁１３ｘに対して取り外し可能に構成することができる。
【００３１】
尚、本考案の薬ケースは、上述の図示例にのみ限定されるものではなく、本考案の要旨を逸脱しない範囲内において種々変更を加え得ることは勿論である。例えば、図示例では一週間分の薬を仕分けして収納可能なケース構造となっているが、仕分け数が任意であることは言うまでもない。
【図面の簡単な説明】
【００３２】
【図１】本考案に係る薬ケースの概略斜視図。
【図２】薬ケースの概略側面図。
【図３】薬ケースを閉鎖したときの概略側面図。
【図４】薬収容部の側面部を拡大して示す拡大部分斜視図。
【図５】薬収容部の上部（開口縁１３ｘ）を拡大して示す拡大部分斜視図。
【符号の説明】
【００３３】
１０…薬ケース、１１…本体部、１１ａ…前面部、１１ｂ…背面部、１１ｃ…被係止部、１１ｄ…底面部、１２…蓋部、１２ａ…被覆部、１２ｂ…重合部、１２ｃ…係止部、１３…薬収容部、１３ａ…開口部、１３ｂ…仕切壁（前後方向）、１３ｃ…仕切壁（左右方向）、１３ｄ…仕切壁（底部）、１３ｘ…開口縁、１３ｙ…折り目、１４ｘ、１４ｙ、１５ｘ…識別子、１５…識別片
【図１】
0003112759.tif 000003
【図２】
0003112759.tif 000004
【図３】
0003112759.tif 000005
【図４】
0003112759.tif 000006
【図５】
0003112759.tif 000007